(57)【要約】      （修正有）【課題】多様な形態や大きさのスマートフォンの携帯が可能でスマートフォンのカメラが露出され、使用の容易性はもちろん携帯の便宜性を有する張財布を提供する。【解決手段】折り畳まれる張財布１００の一側面１０には紙幣やカードなどを収納することができる収納部１２ａ、１２ｂを形成して、他側面２０には一定面積で接着面２１を具備するようにして接着面２１が形成されたスライド板２２が上下で昇降するようにしたスライド板２２は、露出される接着面２１より広くて大きく形成して、台紙２７の上面で昇降するようにしながらも抜けることが防止できるようにし、また、スライド板２２が正確に上下に昇降されるように縫製線２６、２６ａによってスライド空間２３を形成できるようにする。また、スライド板２２の両辺では昇降が容易であるように昇降補助手段を具備して縫製線２６、２６ａによる摩擦なしに昇降が容易であるようにした。【選択図】図１
0003204856.tif 000002
【実用新案登録請求の範囲】
【請求項１】
一側面１０と他側面２０を有する張財布において、
前記一側面１０には紙幣を収納することができる紙幣収納口１１とその上層にはカードを収納することができる空間が確保される多層のカード収納部１２ａ、１２ｂ、１２ｃと多層のカード収納部１２ａ、１２ｂ、１２ｃの上面には身分証収納口１３が形成されて、
これに対応される他側面２０にはスマートフォン２００の厚さを勘案して一定幅の折り畳み面３０によって離隔された状態で平板でなされて、
平板でなされた他側面２０の中央には一定な面積で接着面２１が形成されて、
前記接着面２１はスライド板２２に付着されて前記スライド板２２はスライド空間２３で上下に昇降されて前記接着面２１が上下に昇降されるために開口部２４が形成されて、
前記接着面２１の上面には使われる以前に離型紙２５が付着されているカメラ露出が可能でスマートフォンを携帯可能な張財布。
【請求項２】
前記他側面２０のスライド板に付着される接着面２１は、開口部が開口された状態で最上部に位置される場合に接着面に接着されたスマートフォンのカメラが露出される程度の位置に形成されることを特徴とする請求項１に記載のカメラ露出が可能でスマートフォンを携帯可能な張財布。
【請求項３】
前記スライド板２２がスライドされるスライド空間２３は縫製線２６、２６ａによって区画されて、前記スライド空間２３には台紙２７が形成されて縫製線２６、２６ａに固定されて、スライド板２２のスライドが容易であるようにすることを特徴とする請求項１に記載のカメラ露出が可能でスマートフォンを携帯可能な張財布。
【請求項４】
前記スライド板２２の広さは、スライド空間２３の縫製線２６、２６ａと密着されるように形成されて上下昇降される場合に傾きが発生しないようになって、前記スライド板２２は柔軟でありながらも紙で製作される台紙２７との摩擦が容易であるようにするために一定な強度を有するプラスティック板材で使用することを特徴とする請求項３に記載のカメラ露出が可能でスマートフォンを携帯可能な張財布。
【請求項５】
前記縫製線２６、２６ａと密着される場合に摩擦力が大きくなって、上下昇降が容易であるようにするためにスライド板２２の両辺には昇降補助手段２８を形成するようにして、摩擦力を最小にしたことを特徴とする請求項４に記載のカメラ露出が可能でスマートフォンを携帯可能な張財布。
【請求項６】
前記スライド板２２の両辺に形成される昇降補助手段２８は、レール帯２８aで形成するようにして上下昇降が容易であるようにしたことを特徴とする請求項５に記載のカメラ露出が可能でスマートフォンを携帯可能な張財布。
【請求項７】
張財布１００の構成は、一側面１０と他側面２０を有して一側面１０には紙幣を収納することができる紙幣収納口１１とその上層ではカードを収納することができる空間が確保される多層のカード収納部１２ａ、１２ｂ、１２ｃと多層のカード収納部１２ａ、１２ｂ、１２ｃの上面には身分証収納口１３が形成されることにおいて、
前記他側面２０にはスマートフォン２００の厚さを勘案して一定幅の折り畳み面３０によって離隔された状態で平板でなされて、
平板でなされた他側面２０の中央には一定な面積で接着面２１が露出するように形成されて、
前記接着面２１はスライド板を上下で支持間２２ｃで形成するようにした後上部のスライド板２２ａに接着されて、下部のスライド板２２ｂはスライド空間２３に内入するようにした後カバー面２０ａ、２０ｂに切開線２９のみを形成して支持間２２ｃが切開線２９に乗って上下に移動するようにしたカメラ露出が可能でスマートフォンを携帯可能な張財布。
【請求項８】
前記切開線２９の両側ではカバー面２０ａ、２０ｂが財布のフレームに形成された帯状のフレーム縫製線２６ａによって堅固に支持されて、スライド板２２の離隔を防止するようになることを特徴とする請求項７に記載のカメラ露出が可能でスマートフォンを携帯可能な張財布。
【請求項９】
一側面１０と他側面２０を有して一側面１０には紙幣を収納することができる紙幣収納口１１とその上層ではカードを収納することができる空間が確保される多層のカード収納部１２ａ、１２ｂ、１２ｃと多層のカード収納部１２ａ、１２ｂ、１２ｃの上面には身分証収納口１３が形成されることにおいて、
前記他側面２０にはスマートフォン２００の厚さを勘案して一定幅の折り畳み面３０によって離隔された状態で平板でなされて、
平板でなされた他側面２０のカバー面２０ａ、２０ｂの内部に合紙されて縫製される台紙２７の内側面が切開されながら形成されるフレーム部２７ａによるスライド空間２３が形成されて、
前記フレーム部２７ａの内側スライド空間２３でスライド板２２が位置されて、
前記スライド板２２の前面で接着面が前方のカバー面２０ａに形成された開口部２４で露出されてスライド板２２が台紙２７の切開されたフレーム部２７にガイドされて上下に移動するようにしたカメラ露出が可能でスマートフォンを携帯可能な張財布。
【請求項１０】
前記台紙２７の内側面が切開されて形成される台紙２７のフレーム部２７ａと近接されるようにカバー紙２０ａ、２０ｂを縫製するようにして、台紙２７がカバー紙２０ａ、２０ｂで流動されないように固定されながら、縫製線２６ａによってスライド板２２が台紙２７のスライド空間２３に位置された状態で離脱されなくなることを特徴とする請求項９に記載のカメラ露出が可能でスマートフォンを携帯可能な張財布。
【考案の詳細な説明】
【技術分野】
【０００１】
本考案は、紙幣を折らないで広げて保管可能な張財布に関するものであり、特に、張財布に多様な形態や大きさのスマートフォンの携帯が可能で張財布に孔を穿孔しないながらも必要時にスマートフォンのカメラが露出されるようにして、使用の容易性はもちろん携帯の便宜性を提供しようとするものである。
【背景技術】
【０００２】
現在貨幣や身分証はもちろんクレジットカードが携帯可能な財布は、紙幣を折って保管する半財布または中財布や紙幣を広げて保管するようになる張財布があるが、中財布の長所は携帯が容易という点があるが、携帯時に折りたたまなければならないことでこぎれいさがないという短所がある。
【０００３】
したがって、このような短所を補うために張財布を使用する場合には紙幣やカードなどをこぎれいに保管するという長所がある反面に、財布が易しく開かれるという短所があるものである。
【０００４】
したがって、最近にはこのような張財布に開かれることを防止するためのホック手段が具備されるようになるものである（韓国公開実用新案公報第２０−２０１０−００１１３２９号）。
【０００５】
しかし、このようなホック手段は財布に紙幣や多様な領収証が豊かに収納される場合にさらに効用価値があるために、特に、主婦や女性らはこのような張財布を使用するようになるものである。
【０００６】
一方、張財布を携帯する大部分の人々は、外出時にはこのような張財布を携帯しながら最近にはスマートフォンが大きくなるようになりながら、スマートフォンを別に収納するケースに入れて携帯する場合には、張財布はもちろんスマートフォンが内蔵されたケースを同時に携帯しなければならないという不便さがあるものである（韓国登録実用新案公報第２０−０２６３６１４）。
【０００７】
したがって、最近には携帯電話ケースに紙幣の保管やカードの保管等が可能な手段を具備して、財布の機能を付与することで携帯の容易性を提供しているが、このようなものなどは財布の固有機能を十分に発揮することができないというものであり、またこのようなケースはスマートフォンの形態や大きさによって多様な種類の物を提供しなければならないことで生産にあまり経済的ではないというものであり、カメラの使用のために孔が穿孔されることで財布の概念よりは携帯電話のケース概念が強いために、一般人らがこれを財布で使わなくなるというものである（韓国登録実用新案公報第２０−０４６４７６７）。
【０００８】
すなわち、このような財布形態のケースは、スマートフォンに装着されたカメラやスピーカーの位置によって孔を穿孔するようになることで財布よりはケースの概念が強くて、通常紙幣等を別途の財布に携帯するというものである。
【０００９】
また、このようなケースは、多様なスマートフォンの形態や大きさによって、このようなスマートフォンのカメラ孔とスピーカー孔を穿孔しなければならないし、このようなスマートフォンを固定するための別途の収容部を形成しなければならないことで多様な形態による製造の困難があるというものである。
【考案の概要】
【考案が解決しようとする課題】
【００１０】
したがって、本考案では折り畳まれる張財布の内側の一側面に対応される他側面に一定な面積で接着面を具備して、前記接着面にスマートフォンの裏面が接着するようにして、折って携帯が可能で使用時には広げて画面ロックを解除するようにした後、使用するようにしながらスマートフォンが接着される接着面が上下にスライドされるようにして、カメラを使用時にはスマートフォンが上昇されてカメラが露出されるようにすることで、財布に穿孔部を形成しなくなって従来の問題点を解消するようになるものである。
【課題を解決するための手段】
【００１１】
これのために本考案では折り畳まれる張財布の一側面には紙幣やカードなどを収納することができる収納部を形成して、対応される他側面には一定面積で接着面を具備するようにして、前記接着面は上下に昇降されるスライド板に接着するようにして、前記スライド板はスライド空間で上下で昇降するようにしたものである。
【００１２】
また、前記スライド板は、財布の他側面に露出される接着面より上下や左右の幅が広くて大きく形成されて台紙の上面で密着されながら昇降するようにしながらも抜けることが防止されるようにしたものであり、接着面が上下昇降される場合に昇降時移動の幅を勘案して開口部を形成するようにしたものである。
【００１３】
またスライド板が正確に上下に昇降されるように縫製線によってガイドされるようにスライド空間を形成するようにするものである。
【００１４】
また、スライド板の両辺には昇降が容易であるように昇降補助手段を具備してガイドされる縫製線による摩擦が最小で維持されるようにして昇降が容易であるようにしたものである。
【００１５】
また、スライド板が円滑に上下昇降作動するように財布の他側面に位置される台紙にスライドのレール作用されるフレームを形成してスライド板が台紙のフレームに正確で円滑にスライド作動するようにしたものである。
【考案の効果】
【００１６】
したがって、張財布にスマートフォンが分離されないように携帯可能にすることで財布の機能を立派に遂行しながらもスマートフォンケースとしての機能を維持するようになるものであり、その状態でカメラを使おうとする場合には接着面に接着されたスマートフォンを上部で押し上げればスマートフォンがスライドされながら上昇するようになって、カメラの露出が可能になるものであるので、カメラの使用が可能で財布の損傷を防止するようになるものである。
【００１７】
また、紙幣を広げた状態で収納するようになる張財布の特性上スマートフォンの大きさより大きくなるようになることで張財布に収納される携帯電話をこのような大きさの張財布が囲むようになることで、落とす場合にも衝撃の伝達がスマートフォンに直接的に伝達されなくなることで破損の恐れも解消するようになるものである。
【００１８】
また接着面が形成された部分が財布に一定な強度を有するようにする台紙と密着されて昇降されるスライド板に形成されることで、台紙とこのようなスライド板によって一定な支持強度を有するようになって、曲がることが発生されなくて昇降が正確に作動されて、それと共にスライド板に接着された接着面が曲がらなくなって、このような接着面に接着されたスマートフォンの任意的な分離が発生されなくなるものである。
【図面の簡単な説明】
【００１９】
【図１】本考案の一実施例の外観斜視図である。
【図２】本考案の接着面が接着されたスライド板が多段で一定間隔が維持されるように昇降されることを示したまた他の実施状態図である。
【図３】本考案の接着面が昇降されることによってカメラが露出される段階を示した状態図である。
【図４】本考案のスライド板に接着された接着面が開口部で上昇された状態図である。
【図５】本考案のスライド板がスライド空間を区切る縫製線によってガイドされる状態を示した詳細図である。
【図６】本考案のスライド板に昇降補助手段が具備された状態図である。
【図７】本考案の財布の多様な実施状態図である。
【図８】本考案の財布の多様な実施状態図である。
【図９】本考案のスライド板のまた他の実施状態図である。
【図１０】図９のスライド板が上下にスライドされる財布の他側面にスライドのために切開線が形成された状態図である。
【図１１】本考案の台紙にスライド板がガイドのためのまた他の実施状態図である。
【図１２】図１１のスライド板がガイドされてスライドされた状態図である。
【考案を実施するための形態】
【００２０】
これに、本考案の実施のための最善の形態は、側面１０と他側面２０を有する張財布において、
前記一側面１０には紙幣を収納することができる紙幣収納口１１とその上層にはカードを収納することができる空間が確保される多層のカード収納部１２ａ、１２ｂ、１２ｃと多層のカード収納部１２ａ、１２ｂ、１２ｃの上面には身分証収納口１３が形成されて、
これに対応される他側面２０にはスマートフォン２００の厚さを勘案して一定幅の折り畳み面３０によって離隔された状態で平板でなされて、
平板でなされた他側面２０の中央には一定な面積で接着面２１が形成されて
前記接着面２１はスライド板２２に付着されて前記スライド板２２はスライド空間２３で上下に昇降されて前記接着面２１が上下に昇降されるために開口部２４が形成されて、
前記接着面２１の上面には使われる以前に離型紙２５が付着されているカメラ露出が可能でスマートフォンを携帯可能な張財布を特徴とするものである。
【実施例】
【００２１】
以下添付された図面に基づいて本考案を詳しく説明すれば次のようである。
【００２２】
図１乃至図６に図示されたところのように本考案の張財布１００の構成は一側面１０と他側面２０を有して一側面１０には必要によって紙幣等を収納することができる紙幣収納口１１とその上層では必要によってカードなどを収納することができる空間が確保される多層のカード収納部１２ａ、１２ｂと多層のカード収納部１２ａ、１２ｂの上面には必要によって身分証収納口１３が形成されて、身分証収納口１３は中央が切開された開口部１３ａが形成されて、身分証の取り出すことが容易であるようになって、他側面２０にはスマートフォン２００の厚さを勘案して一定幅の折り畳み面３０によって離隔された状態で平板でなされて、平板でなされた他側面２０の中央には一定な面積で接着面２１が形成されて、前記接着面２１はスライド板２２に付着されて前記スライド板２２はスライド空間２３で上下に昇降されて、前記接着面２１が上下に昇降されるために開口部２４が形成される構成である。
【００２３】
また、前記接着面２１の上面には使われる以前に？型紙２５が付着されているものである。
【００２４】
また、前記他側面２０のスライド板２２に付着される接着面２１は、開口部２４が開口された状態で最上部に位置される場合に接着面２１に接着されたスマートフォンのカメラが図３に示されたところのように露出される程度の位置に形成されるものである。
【００２５】
また、前記スライド板２２がスライドされるスライド空間２３は、縫製線２６とフレームを形成するフレーム縫製線２６ａによって区画されるものであり、このようなスライド空間２３には台紙２７が形成されて、前記縫製線２６、２６ａによって固定されてスライド板２２のスライド時に台紙２７が固定されていてスライド板２２のスライドが容易であるようにしたものである。
【００２６】
また、スライド板２２の広さは、スライド空間２３を区切る縫製線２６、２６ａとほとんど密着されるように形成されることで、上下昇降される場合に傾きが発生されなくなるものであり、この時スライド板２２は柔軟でありながらも紙で製作される台紙２７との摩擦が容易であるようにするために本考案では一定な強度を有するプラスティック板材で使用した。しかし、このような特性を有する多様な材質を使用することができるものである。
【００２７】
また、前記スライド板２２が縫製線２６、２６ａと密着されてスライドされる場合にこのような縫製線２６、２６ａと密着される場合に縫製線２６、２６ａが加圧されながら幅が細くなるようになって、スライドされる場合に摩擦力が大きくなって上下昇降が容易ではない点を考慮してスライド板２２の両辺では昇降補助手段２８を形成するようにするものである。
【００２８】
本考案では昇降補助手段２８をスライド板２２の両辺にレール帯２８ａを形成するようにすることで、摩擦抵抗を最小にして上下昇降が容易であるようにしたものである。
また、このような昇降の容易性を改善するためには、多様な公知方式を使って昇降が容易であるようにできるものであり、このようなものが本考案の目的を制限するものではない。
【００２９】
また、本考案では接着面２１を上下昇降幅を考慮して開口部２４を形成するようにした後、開口部２４に露出されるスライド板２２を形成するようにすることでスライド板２２が縫製線２６、２６ａによって区画されたスライド空間２３で上下昇降される場合に接着面２１が開口部２４で移動するようにした。
【００３０】
しかし、図９及び図１０に示されたところのようにスライド板２２を上下で支持間２２ｃに形成するようにした後上部のスライド板２２ａは露出するようにして、接着面２１を形成して下部のスライド板２２ｂはスライド空間２３に内入するようにした後、他側面２０には切開線２９のみを形成して支持間２２ｃが切開線２９に乗って上下に移動するようにすることで接着面２１が上下で昇降するようにできるものである。
【００３１】
この時、切開線２９の両側では皮で製作されるカバー面２０ａ、２０ｂが財布の上下辺に形成された帯でなされるフレーム縫製線２６ａによって堅固に支持されて、下部スライド板２２ｂがスライド空間２３で離隔されて浮き立つことを防止するようになるものである。
【００３２】
この時、図１１及び図１２に示されたところのようにスマートフォン２００が位置されるカバー面２０ａ、２０ｂの内部に合紙されて縫製される台紙２７の内側面に切開されたフレーム部２７ａにスライド空間２３を形成して、前記フレーム部２７ａの内側スライド空間２３でスライド板２２が位置されてスライド板２２に接着面２１だけ前方のカバー面２０ａに形成された開口部２４で露出されて、スマートフォン２００を接着面２１に付着させて、スライド板２２は台紙２７の切開されたフレーム部２７でなされたスライド空間２３でガイドされて、上下昇降が容易にスライド作動するものである。
【００３３】
すなわち、前記台紙２７に形成されたフレーム部２７ａは、台紙２７の内側面に四角形態で切開されたフレーム部２７ａにスライド空間２３が形成されて、スライド板２２がフレーム部２７ａのスライド空間２３に内入された状態でフレーム部２７ａにスライド板２２が正確にガイドされるものであり、この時スライド板２２が上下昇降される時摩擦面積が最小化されながらスライド作動を容易にすることができるものである。
【００３４】
また、前記台紙は、カバー面２０ａ、２０ｂの間に位置されて台紙の切開されたフレーム部２７ａと近接されるようにカバー面２０ａ、２０ｂと縫製するようにして台紙２７が流動されないようにしながら台紙２７の切開されたスライド空間２３に位置されたスライド板２２が縫製線２６ａによって離脱されなくなるものである。
【００３５】
また、図１乃至図６に示されたところのように接着面２１にスマートフォンが接着された状態では開口部２４の露出が防止されるものであり、また、スライド板２２がスライド空間２３で緊密に密着されていると共にカバー面２０ａ、２０ｂが広くてスライド板２２が持ち上げられながらスマートフォンががたがたすることが発生されなくなるものである。
【産業上の利用可能性】
【００３６】
以上説明したように、本発明によれば、張財布にスマートフォンが分離されないように携帯可能にすることで財布の機能を立派に遂行しながらもスマートフォンケースとしての機能を維持するようになるものであり、その状態でカメラを使おうとする場合には接着面に接着されたスマートフォンを上部で押し上げればスマートフォンがスライドされながら上昇するようになって、カメラの露出が可能になるものであるので、カメラの使用が可能で財布の損傷を防止するようになるものである。
【００３７】
また、紙幣を広げた状態で収納するようになる張財布の特性上スマートフォンの大きさより大きくなるようになることで張財布に収納される携帯電話をこのような大きさの張財布が囲むようになることで、落とす場合にも衝撃の伝達がスマートフォンに直接的に伝達されなくなることで破損の恐れも解消するようになるものである。
【００３８】
また接着面が形成された部分が財布に一定な強度を有するようにする台紙と密着されて昇降されるスライド板に形成されることで、台紙とこのようなスライド板によって一定な支持強度を有するようになって、曲がることが発生されなくて昇降が正確に作動されて、それと共にスライド板に接着された接着面が曲がらなくなって、このような接着面に接着されたスマートフォンの任意的な分離が発生されなくなるものである。
【図１】
0003204856.tif 000003
【図２】
0003204856.tif 000004
【図３】
0003204856.tif 000005
【図４】
0003204856.tif 000006
【図５】
0003204856.tif 000007
【図６】
0003204856.tif 000008
【図７】
0003204856.tif 000009
【図８】
0003204856.tif 000010
【図９】
0003204856.tif 000011
【図１０】
0003204856.tif 000012
【図１１】
0003204856.tif 000013
【図１２】
0003204856.tif 000014